(57)【要約】      （修正有）【課題】暗号通貨などの多種類の分散型アプリケーションの管理に適用できるインテリジェントウォレット装置及びその動作方法を提供する。【解決手段】インテリジェントウォレット装置３０における生体識別モジュールは生体特徴読み取りインタフェース３０３によって生体識別特徴を読み取る。その後、インテリジェントウォレット装置における分散型アプリケーションを実行する権限をインテリジェントウォレット装置に付与する。画像処理モジュールは、例えばウォレット情報やウォレットアドレスなどの分散型アプリケーションの情報を表示スクリーン３０１に表示させる。インテリジェントウォレット装置は、分散型アプリケーションプログラムを実行するコンピュータ装置に接続され、生体特徴識別手段により身分認証が実行された後に、ブロックチェーンを通じて分散型アプリケーションのデータを取得して表示スクリーンに表示し、後続の動作を実行できる。【選択図】図３
2020184290.tif 000002
【特許請求の範囲】
【請求項１】
インテリジェントウォレット装置に適用されるインテリジェントウォレット装置の動作方法であって、
前記インテリジェントウォレット装置が無線通信手段によりコンピュータ装置に接続することと、
前記インテリジェントウォレット装置によって身分認証を実行するように前記コンピュータ装置がユーザインタフェースで提示することと、
前記インテリジェントウォレット装置の生体特徴識別手段によって前記身分認証を実行することと、
前記身分認証に成功した後に、前記コンピュータ装置が分散型アプリケーションの情報を受信することと、
前記インテリジェントウォレット装置において、表示スクリーンで前記分散型アプリケーションの情報を表示することと、
を含むことを特徴とする、インテリジェントウォレット装置の動作方法。
【請求項２】
前記分散型アプリケーションはインテリジェントウォレットであり、
前記コンピュータ装置に受信される前記分散型アプリケーションの情報はウォレットアドレスであり、
前記インテリジェントウォレット装置は、前記ウォレットアドレスに基づいてブロックチェーンを通じてウォレットデータを取得してから、前記表示スクリーンでウォレット情報を表示することを特徴とする、請求項１に記載のインテリジェントウォレット装置の動作方法。
【請求項３】
前記ウォレットデータを取得するために、前記インテリジェントウォレット装置は、前記無線通信手段により前記コンピュータ装置に接続されてから、前記コンピュータ装置におけるウォレットプログラムを起動することを特徴とする、請求項２に記載のインテリジェントウォレット装置の動作方法。
【請求項４】
前記コンピュータ装置における前記ウォレットプログラムを実行ことで、一つのまたは複数の暗号通貨の取引を行い、
前記ウォレットプログラムによって取引金額を設定し、前記インテリジェントウォレット装置に接続して前記身分認証を実行してから、取引を完了することを特徴とする、請求項３に記載のインテリジェントウォレット装置の動作方法。
【請求項５】
前記ウォレットアドレスを前記インテリジェントウォレット装置の前記表示スクリーンに表示し、
他人に設定された取引金額を受信するために、前記コンピュータ装置における前記ウォレットプログラムにより前記ウォレットアドレスを読み取り、
前記インテリジェントウォレット装置に接続して前記身分認証を実行してから、取引を完了することを特徴とする、請求項３に記載のインテリジェントウォレット装置の動作方法。
【請求項６】
前記生体特徴識別手段は、指紋画像を読み取ってから前記身分認証を実行する手段であり、
前記無線通信手段は、ブルートゥース（登録商標）通信手段であり、
前記表示スクリーンに表示されるウォレットアドレスは、ＱＲコード（登録商標）で表示されることを特徴とする、請求項１から５のいずれか一つに記載のインテリジェントウォレット装置の動作方法。
【請求項７】
請求項１に記載のインテリジェントウォレット装置の動作方法を実行するために用いられる、インテリジェントウォレット装置。
【発明の詳細な説明】
【技術分野】
【０００１】
本発明は、分散型アプリケーション（Ｄｅｃｅｎｔｒａｌｉｚｅｄ  Ａｐｐｌｉｃａｔｉｏｎ、ＤＡｐｐ）を管理するためのインテリジェントウォレットに関し、特にディスプレーを有し分散型アプリケーションのデータを同調させることができるインテリジェントウォレット装置及びその動作方法に関する。
【背景技術】
【０００２】
暗号通貨（ｃｒｙｐｔｏｃｕｒｒｅｎｃｙ）（例えば、ビットコイン（ｂｉｔｃｏｉｎ））とは、アルゴリズムと暗号理論によって作られた仮想通貨である。実体の通貨が発行されていないため、暗号通貨が記録されるウォレット（ｗａｌｌｅｔ）を電子装置によって実現する必要がある。電子装置は、主として、ユーザが自身の暗号通貨をアクセスできる個人的な鍵（Ｋｅｙ）とウォレットアドレスを記録する。また、暗号通貨の金額（価値）と取引の履歴は、分散型（ｄｅｃｅｎｔｒａｌｉｚｅｄ、即ち非中央集権型）の総意機制を通じてブロックチェーン（ｂｌｏｃｋｃｈａｉｎ）技術に基づく分散型台帳（Ｄｉｓｔｒｉｂｕｔｅｄ  Ｌｅｄｇｅｒ）に記録される。暗号通貨の取引を行う時に、自身の鍵を用いて取引金額を設定し、他人のウォレットアドレスへの暗号通貨の出金や暗号通貨の入金を実行する。
【０００３】
暗号通貨などの仮想通貨にとって、仮想世界と繋ぐインタフェースであるウォレットが必要である。ユーザが暗号通貨で取引を行おうとしたら、ウォレットを使用しなければならない。ウォレットは、暗号通貨の出入金を行うために用いられるものである。ウォレットは、特定のコンピュータ装置で実行され、暗号通貨を出入金するための、アカウントとパスワードで保護されるソフトウェアであってもよい。ウォレットは、コールドウォレット（ｃｏｌｄ  ｗａｌｌｅｔ）を動作させるための、オフラインで携帯できるハードウェアであってもよい。多くのウォレットは特定の暗号通貨に専用するものである。暗号通貨が異なると、使用するウォレットも異なる。
【０００４】
前記コールドウォレットは、コンピュータ装置に接続しない限り暗号通貨の取引機能が使用できないものである。例えば、コールドウォレット装置におけるＵＳＢインタフェースを通じてコンピュータ装置に接続し、コンピュータ装置におけるウォレットの関連プログラムによってコールドウォレット装置にアクセスし、ユーザがパスワード（例えば、ＰＩＮコード）で認証を行い、ウォレットを起動してからウォレットにおける鍵で取引を署名し、署名された取引がブロックチェーンにブロードキャストされ、マイナーに確認され、確認されてから取引完了の旨が表示される。ユーザはコールドウォレットを使用するためのパスワードを牢記しなければならず、コールドウォレットにおける鍵に合わせてコールドウォレットを起動する。
【発明の概要】
【課題を解決するための手段】
【０００５】
本発明は、インテリジェントウォレット装置及びその動作方法を提供する。従来のコールドウォレットに対して、前記インテリジェントウォレット装置は分散型アプリケーションの種々の資源を管理する携帯用装置である。前記分散型アプリケーションは、暗号通貨、鍵、分散型台帳などの管理を含む。例えば、多数のウォレットと多種類の暗号通貨に適用できること、各暗号通貨の秘密鍵を記憶できること、インテリジェントウォレット装置の使用前に生体識別手段により身分認証を行うことができること、及び、コンピュータ装置に接続されてから識別コードの転換により取引を実行できることを実現可能なインテリジェントウォレット装置を提供する。
【０００６】
インテリジェントウォレット装置に基づく実施態様について、例えばマイクロ制御ユニット、通信モジュール、生体識別モジュール、セキュリティ認証モジュール、画像処理モジュール及び電源管理モジュールを主な回路とする。マイクロ制御ユニットは、インテリジェントウォレット装置における複数の回路モジュールの動作を制御するためのものである。通信モジュールは、コンピュータ装置と接続するためのものである。生体識別モジュールは、生体特徴読み取りインタフェースを通じて生体識別特徴を読み取られるものである。セキュリティ認証モジュールは、マイクロ制御ユニットにより生体識別モジュールに生成された生体識別特徴を取得し、コンピュータ装置のインテリジェントウォレット装置に対する使用を検証して権限付与するためのものである。画像処理モジュールは、表示スクリーンに、例えばウォレット情報とウォレットアドレスなどの分散型アプリケーションの情報が表示されるように制御するためのものである。電源管理モジュールは、インテリジェントウォレット装置の電力供給を制御するためのものである。
【０００７】
インテリジェントウォレット装置は、例えば一つのまたは複数の暗号通貨に適用すると共にいずれかの暗号通貨でコンピュータ装置によって取引を行うことができるように、各種の分散型アプリケーションの管理に用いられることが好ましい。
【０００８】
インテリジェントウォレット装置の動作方法に基づく実施態様について、当該インテリジェントウォレット装置の動作方法はインテリジェントウォレット装置に適用される。当該インテリジェントウォレット装置の動作方法において、まず、インテリジェントウォレット装置は無線通信手段によりコンピュータ装置に接続し、インテリジェントウォレット装置に搭載される生体特徴識別手段により身分認証を実行し、身分認証に成功した後に、コンピュータ装置が分散型アプリケーションのデータと秘密鍵で暗号化した演算により生成された検証データとを取得することにより、コンピュータ装置がブロックチェーンを通じて分散型アプリケーションのデータを同調させ、インテリジェントウォレット装置の表示スクリーンに分散型アプリケーションの情報を表示することが可能である。
【０００９】
実施態様において、分散型アプリケーションはインテリジェントウォレットであってもよく、コンピュータ装置に受信された分散型アプリケーションの情報はウォレットアドレスであってもよい。これにより、インテリジェントウォレット装置はブロックチェーンを通じてウォレットアドレスによりウォレットデータを取得してウォレット情報を表示スクリーンに表示することができる。
【００１０】
インテリジェントウォレット装置は、ブルートゥース（登録商標）通信によりコンピュータ装置とペアリングして接続し、コンピュータ装置においてウォレットプログラムを起動し、ウォレットデータを同調させることが好ましい。
【００１１】
さらに、一つの適用例において、コンピュータ装置はウォレットプログラムを実行することでそれが対応する複数種類の暗号通貨のいずれか一種を取引する。ウォレットプログラムによって取引金額を設定し、インテリジェントウォレット装置に接続して身分認証を実行してから、ブロックチェーンにおけるノード検証を通過した後に、取引が完了する。
【００１２】
さらに、もう一つの適用例において、まずはインテリジェントウォレット装置の表示スクリーンにウォレットアドレスを表示する。この場合、ウォレットアドレスをＱＲコード（登録商標）の形で表示してもよい。このウォレットアドレスがコンピュータ装置におけるウォレットプログラムによって読み取られることで、他人に設定された取引金額の受信が可能になり、インテリジェントウォレット装置に接続して身分認証を実行してから、取引が完了する。
【００１３】
さらに、インテリジェントウォレット装置には一つのまたは複数のウォレットが設けられてもよく、各ウォレットは一つのまたは複数の暗号通貨に対応してもよい。インテリジェントウォレット装置には各暗号通貨に対応する秘密鍵が記憶され、いずれかのウォレットアドレスがインテリジェントウォレット装置の表示スクリーンで表示されることが可能になる。
【００１４】
本発明の特徴及び技術内容がさらに分かるように、下記の本発明に関する詳細な説明と図面を参照する。なお、提供された図面は参考、説明のためのものに過ぎず、本発明はこれに限定されるものではない。
【図面の簡単な説明】
【００１５】
【図１】本発明の実施形態に係るインテリジェントウォレット装置の基本構成を模式的に示す図である。
【図２】本発明の実施形態に係るインテリジェントウォレット装置の回路ブロックを模式的に示す図である。
【図３】本発明に係るインテリジェントウォレット装置の実施形態を模式的に示す図である。
【図４】本発明に係るインテリジェントウォレット装置を使用する状況を模式的に示す図である。
【図５】本発明に係るインテリジェントウォレット装置を使用する状況を模式的に示すもう一つの図である。
【図６】本発明に係るインテリジェントウォレット装置を使用する状況を模式的に示すさらにもう一つの図である。
【図７】本発明の実施形態に係るインテリジェントウォレット装置のウォレット作成の流れを示す図である。
【図８】本発明の実施形態に係るインテリジェントウォレット装置のウォレットデータ同調の流れを示す図である。
【図９】本発明の実施形態に係るインテリジェントウォレット装置を使用して取引を行う動作方法の流れを示す図である。
【図１０】本発明のもう一つの実施形態に係るインテリジェントウォレット装置を使用して取引を行う動作方法の流れを示す図である。
【図１１】本発明に係るインテリジェントウォレット装置を使用して取引を行う状況を模式的に示す図である。
【発明を実施するための形態】
【００１６】
以下、本発明の実施形態について、特定の具体的な実施形態により説明する。当業者は、本明細書に開示される内容により、本発明の利点と効果が分かる。本発明は、他の様々な具体的な実施形態によって施行、適用される。本発明の精神および範囲を逸脱しない限り、本明細書における各細部は、様々な観点、応用によって様々な変更が可能である。なお、本発明の図面は単なる模式的な説明に過ぎず、実際の寸法に基づいて描かれたものではない。以下の実施形態において、本発明に関連する技術内容をより詳細的に説明するが、開示された内容は本発明の保護範囲を限定するものではない。理解すべきは、本明細書において「第一の」、「第二の」、「第三の」などの用語を使用して各部材や信号を説明するかもしれないが、これらの部材や信号はそれらの用語による限定を受けない。主として、それらの用語は部材間や信号間の区別のためである。なお、本明細書に使用されている「や」、「または」という用語は、実際の状況によって、列挙された関連項目の中のいずれか一つのまたは複数の組み合わせを含む場合がある。
【００１７】
本発明には、暗号通貨、鍵、分散型台帳など、一種のまたは多種の分散型アプリケーションが含まれているブロックチェーン技術を適用して動作する様々な資源を管理するためのインテリジェントウォレット装置が開示されている。図１に示すように、インテリジェントウォレット装置は、携帯に便利なコンセプトで設計されることが好ましく、一般的には、カード型、腕輪型、またはＵＳＢドングル（ｄｏｎｇｌｅ）の形をしている装置など、小型化を設計の方針とするものである。
【００１８】
暗号通貨のブロックチェーン技術における適用を例として、インテリジェントウォレット装置には、コールドウォレットまたはハードウェアウォレット（ｈａｒｄｗａｒｅ  ｗａｌｌｅｔ）と呼ばれるものが実現され、階層的決定性ウォレット（Ｈｉｅｒａｒｃｈｉｃａｌ  Ｄｅｔｅｒｍｉｎｉｓｔｉｃ  ｗａｌｌｅｔ）が実現され、ユーザが有する一つのまたは複数の暗号通貨ウォレット情報が一斉に記録されることに対応し、その中のメモリによって暗号通貨のそれぞれに対応する秘密鍵及びウォレットアドレスが記憶される。ちなみに、インテリジェントウォレット装置を通じて、各暗号通貨について一つや一連の秘密鍵ペア（ｋｅｙ  ｐａｉｒ）が記憶される。各秘密鍵ペアは一つの私有鍵と一つの公開鍵を含み、私有鍵は特定の暗号通貨をアクセスできる身分であってもよい。ユーザは秘密鍵（すなわち、非公開の私有鍵）を自身の身分の証明として使い、自身が所有する暗号通貨に対する所有権と制御権を有することを証明する。取引の支払いをする時に、自身が所有者であり、この暗号通貨を運用できることをこの秘密鍵を取引のサインとして証明する必要がある。公開鍵は私有鍵に対応して生成されるものであり、ブロックチェーンのノードに提供され、ある取引が私有鍵に対応する所有者により発されたことの検証に用いられることで、取引の有効性が検証される。
【００１９】
図１は実施形態に係るインテリジェントウォレット装置１０の基本構成を模式的に示す図である。この例において、インテリジェントウォレット装置１０はカードの形で実現できるが、実際の実施は、特定の装置、外観に限定されるものではない。
【００２０】
インテリジェントウォレット装置１０のハウジングに内部電源管理回路と電気的に接続される電源スイッチ１０１が設けられていることで、ユーザがタッチ方式でインテリジェントウォレット装置１０を起動できる。電源指示ランプ１０２が設けられることで、各種のランプパターンの変化（例えば、明滅、呼吸ランプ、カラー変化）で装置の電源状態を示すことにより、充電状態、電圧の状態、装置オンオフ状態、低電圧警告などを示す。さらに、例えば装置動作指示ランプ１０４などの他の指示ランプを増設することで、より豊富な装置の状態を表現し、ランプパターンにより装置の動作状態の表示を変えることが可能である。例えば、インテリジェントウォレット装置１０に各種の通信、認証の技術が統合されることにより、装置動作指示ランプ１０４による明滅、呼吸ランプ、カラー変化などの方式で動作中の通信モジュール、認証に成功したか否か、装置が正確に動作するか否かなどについて提示する。
【００２１】
インテリジェントウォレット装置１０には、インテリジェントウォレット装置１０の内部における生体識別回路と接続する生体特徴読み取りインタフェース１０３が設けられている。この例において指紋スキャナを例としたが、その目的はインテリジェントウォレット装置１０に暗号通貨の売買を実行させるインテリジェントウォレット装置１０を通じて暗号通貨の取引を実行する時の認証情報としての例えば指紋などのユーザの生体識別特徴を取得することにあるため、実際には他の生体識別手段で取って代わってもよい。
【００２２】
例えば、指紋の識別の場合、ユーザが指で生体特徴読み取りインタフェース１０３をタッチすると、関連する指示ランプが点灯される。読み取りの成功の場合、例えば緑色のランプの点灯などのランプパターンで示すことができる。読み取りの失敗の場合、例えば赤色のランプの点灯などの他のランプパターンで示すことができる。
【００２３】
インテリジェントウォレット装置１０には複数の通信回路とプロトコルが統合される。また、インテリジェントウォレット装置１０はハイエンドのプロセスで制作された集積回路（ＩＣ）を採用してもよい。例えば、インテリジェントウォレット装置１０は、マイクロ制御ユニット（ＭＣＵ）と通信回路（例えば、Ｂｌｕｅｔｏｏｔｈ（登録商標）、低消費電力ブルートゥース（ＢＬＥ）（登録商標））が統合されたマイクロ制御ユニット兼通信モジュール１０５と、特定の通信回路（例えば、近距離無線通信回路（ＮＦＣ））とセキュリティチップが統合された通信兼セキュリティ認証モジュール１０６とを採用してもよい。
【００２４】
もう一つの例として、ブルートゥース通信モジュールの起動の場合、この時、関連する指示ランプが点灯され、接続パケットを送信していると共に別の装置とのペアリング（ｐａｉｒｉｎｇ）を待っていることを明滅で示す。特定の装置とのペアリングが完了した後、ペアリング接続の完了を例えば連続点灯などの他のランプパターンで示す。
【００２５】
インテリジェントウォレット装置１０は携帯用装置として設計され、ユニバーサル・シリアル・バス（ＵＳＢ）などで実現されたバスモジュール１０８によって外部ホストコンピュータの電力供給を取得できる他に、一つのコンバータ装置によって外部ホストコンピュータと接続できる（装置の表面にいくつの電気接点の設置が可能）。インテリジェントウォレット装置１０は、無線通信手段により認証が実行されることに対応するため、例えば電池モジュール１０７などの独立の電源が設けられている。その中、電源管理回路（この図には図示しない）はインテリジェントウォレット装置１０の必要電力を電池モジュール１０７によって供給でき、バスモジュール１０８とデータインタフェース１０９によって外部の電力供給も受信できる。ちなみに、小型化のインテリジェントウォレット装置１０の設計において、データインタフェース１０９を伸縮可能構造に設計してもよく、いくつかの接点を設計し、他のコンバータ装置（ｄｏｃｋｉｎｇ）における端子との電気的な接続によりホストコンピュータと接続してもよい。その中、インテリジェントウォレット装置におけるバスモジュールが、データインタフェースによってインテリジェントウォレット装置がホストコンピュータに接続された時に、装置が起動されると共に、充電モードまたはデータ伝送モードに入ることができる。
【００２６】
例として、インテリジェントウォレット装置１０が充電モード（例えば、データインタフェース１０９を通じて外部電源に接続する）にある時に、例えば明滅のランプパターンなどのランプパターンで示すことができる。充電が完了すると、電源管理モジュールによって指示し、ランプは消灯してもよく、特定の点灯パターンで示してもよい。なお、インテリジェントウォレット装置１０が低電圧状態になり、電池切れの直前に、特定のランプパターンで警告してもよい。
【００２７】
特筆すべきは、インテリジェントウォレット装置１０には、図示の表示ユニット１１１のようなディスプレーを有し、分散型アプリケーションにおける情報を表示できる画像処理モジュール１１０が設けられている。分散型アプリケーションにおける情報を表示できるとは、例えば、インテリジェントウォレット装置１０における各暗号通貨のウォレット情報、分散型台帳記録などを表示したり、他人が送信した暗号通貨を受信するために二次元コード（ＱＲコード（登録商標））の形でウォレットアドレスを表示したりするようにしてもよい。画像処理モジュール１１０は、インテリジェントウォレット装置１０内のマイクロ制御ユニット兼通信モジュール１０５と接続され、マイクロ制御ユニットが処理した暗号通貨データを受信できる。例えばＬＥＤまたはＬＣＤスクリーン、電子ペーパー（Ｅ−ｉｎｋ）、或いは電力の供給がない時でも表示内容を維持できる双安定スクリーン（Ｂｉｓｔａｂｌｅ  Ｌｉｑｕｉｄ  Ｃｒｙｓｔａｌ  Ｃｅｌｌ）などの表示スクリーンが表示ユニット１１１によって実現される。
【００２８】
インテリジェントウォレット装置１０は、一種類または複数種類の通信技術に対応することで、コンピュータ装置と接続される。コンピュータ装置について、パソコン、ノートパソコン、スマートフォン、タブレット型コンピュータなどが挙げられる。両者間の接続方式について、インテリジェントウォレット装置が実体のユニバーサル・シリアル・バス（ＵＳＢ）により、或いは、特定の無線通信手段（例えば、ブルートゥース（登録商標））によりコンピュータ装置に接続される。
【００２９】
ちなみに、インテリジェントウォレット装置の使用を開始する前、インテリジェントウォレット装置を初期化する時に、例えば、インテリジェントウォレット装置をコンピュータ装置のＵＳＢソケットに挿入し、特に生体識別特徴（例えば指紋など）などのユーザ認証データをインテリジェントウォレット装置にエントリーし、対応するソフトウェアプログラムがインストールされているコンピュータシステムにこのインテリジェントウォレット装置を登録することにより、本来のコンピュータシステムの身分認証手段に取って代われる。他には、インテリジェントウォレット装置のファームウェア機能を利用して自発的に生体識別特徴をエントリーする方法がある。
【００３０】
特筆すべきは、本発明に提供されているインテリジェントウォレット装置はマルチウォレット機能に対応するものである。実際には、必要に応じて、一つのまたは複数のウォレットが設けられる。すなわち、複数のウォレットアドレス（文字列）を設定することができる。さらに、各ウォレットは一つのまたは複数の暗号通貨に対応するため、各暗号通貨に対応する複数の秘密鍵も含まれている。秘密鍵として実現される場合、一対の公開鍵と私有鍵が含まれている。
【００３１】
次に、図２は実施形態に係るインテリジェントウォレット装置の回路ブロックを示す。この模式図には、インテリジェントウォレット装置２０における主回路モジュールが描かれている。その中、機能に基づいて異なるモジュールが区画されている。実際の実施において、一部のモジュールは、一つの回路システムに統合されてもよく、ソフトウェアをハードウェアに組み合わせることで実現されてもよい。
【００３２】
一つの実施形態において、インテリジェントウォレット装置２０は、カードタイプで独立に動作できる電子装置であって、電源管理モジュール２０５を通じてインテリジェントウォレット装置２０を動作させる電力を供給するための電池モジュール２０６が内蔵される。インテリジェントウォレット装置２０は、電源管理モジュール２０５を通じて、電池モジュール２０６からの電力、または外部の供給（例えば、無線充電、有線充電）から受け取った電力を処理する。インテリジェントウォレット装置２０には、ユーザがタッチ、押すことでインテリジェントウォレット装置２０やその機能を起動、停止できる電源スイッチインタフェース２０７が設けられている。その中、特定の通信モジュールの様々な起動、停止を区別するための方便として、電源スイッチインタフェース２０７を長押すことでインテリジェントウォレット装置２０を停止できる。
【００３３】
インテリジェントウォレット装置２０には、インテリジェントウォレット装置２０における複数の回路モジュールの動作を制御するためのマイクロ制御ユニット２０１が含まれている。マイクロ制御ユニット２０１は、例えば、各種の分散型アプリケーションのデータの暗号／復号化を処理する。特に、マイクロ制御ユニット２０１は、インテリジェントウォレット装置２０における暗号通貨の暗号／復号化、認証、及びウォレットデータの同調を動作させる機能を含む。インテリジェントウォレット装置２０にはセキュリティ認証モジュール２０２が設けられている。セキュリティ認証モジュール２０２はセキュリティ部材（ｓｅｃｕｒｅ  ｅｌｅｍｅｎｔ、ＳＥ）の一種であり、ハードウェア認証チップで実現でき、実施形態において特定の通信回路を統合できる。
【００３４】
インテリジェントウォレット装置２０には、マイクロ制御ユニット２０１と電気的に接続され、インテリジェントウォレット装置２０の生体特徴読み取りインタフェース２１０を通じて生体識別特徴を読み取り、各種の生体識別手段を採用して認証データを生成できる生体識別モジュール２０９が含まれている。セキュリティ認証モジュール２０２は、マイクロ制御ユニット２０１と電気的に接続されることで、マイクロ制御ユニット２０１により生体識別モジュール２０９が生成した生体識別特徴を取得する。一つの実施形態において、生体識別特徴は、インテリジェントウォレット装置２０の分散型アプリケーションの一つに対する実行の検証、権限付与に用いられる。
【００３５】
もう一つの実施形態において、セキュリティ認証モジュール２０２には、高速で生体識別コードを検証できるプロセッサーを有するセキュリティチップが含まれている。インテリジェントウォレット装置２０が起動されて認証を実行させる時に、生体識別モジュール２０９を通じて生体識別特徴を取得し、メモリにおける生体識別特徴の関連数値と照合することは、このインテリジェントウォレット装置２０を使用して初歩の身分認証を行う基礎となる。
【００３６】
インテリジェントウォレット装置２０には、複数の通信モジュールが含まれている。各通信モジュールもマイクロ制御ユニット２０１と電気的に接続され、インテリジェントウォレット装置２０の通信と認証機能に統合されている。通信モジュールはバスモジュール２０３であってもよく、ユニバーサル・シリアル・バス（ＵＳＢ）であってもよく、外部に対してデータインタフェース２０４（例えば、ＵＳＢインタフェース）が設けられることにより、インテリジェントウォレット装置２０がデータインタフェース２０４を通じてホストコンピュータに挿入したりコンバータ装置を通じてホストコンピュータに接続したりするようにしてもよい。
【００３７】
無線通信モジュールもインテリジェントウォレット装置２０の通信モジュールに含まれている。この実施形態において、無線通信モジュールは第一の無線通信モジュール２０８と第二の無線通信モジュール２１１によって実現する。実施形態において、第一の無線通信モジュール２０８はブルートゥース通信モジュール（Ｂｌｕｅｔｏｏｔｈ（登録商標））であってもよく、第二の無線通信モジュール２１１は近距離無線通信モジュール（ＮＦＣ）であってもよい。その中、ブルートゥース通信モジュールは、ブルートゥース（登録商標）通信プロトコルまたは低消費電力ブルートゥース（Ｂｌｕｅｔｏｏｔｈ  Ｌｏｗ  Ｅｎｅｒｇｙ、ＢＬＥ）（登録商標）プロトコルを動作できるデュアルモード（ｄｕａｌ  ｍｏｄｅ）の通信チップであってもよい。
【００３８】
実施形態において、生体識別モジュール２０９は指紋識別モジュールであってもよい。生体識別モジュール２０９は、インテリジェントウォレット装置２０の表面に設置された生体特徴読み取りインタフェース２１０と合わせて指紋画像を読み取り、指紋識別モジュールによって生体識別特徴をこの指紋画像から抽出し、セキュリティ認証モジュール２０２によりセキュリティコードを生成する。実施形態は上記の通り、コンピュータ装置のインテリジェントウォレット装置に対する使用の権限付与の認証基礎となる。
【００３９】
インテリジェントウォレット装置２０には、マイクロ制御ユニット２０１と電線で接続され、例えばウォレット情報とウォレットアドレスなどの分散型アプリケーションの情報が表示ユニット２１３で実現した表示スクリーンに表示されることを制御するための画像処理モジュール２１２が設けられている。電源管理モジュール２０５は、画像処理モジュール２１２の動作をサポートする。電源管理モジュール２０５は、例えばインテリジェントウォレット装置２０を動作させて暗号通貨の取引を実行させる内容などのインテリジェントウォレット装置２０の動作状態の表示に用いられてもよい。
【００４０】
図３には、カードタイプで設計されたインテリジェントウォレット装置３０が表示されているが、実際の使用時にはカードタイプに限定されない。図中にはインテリジェントウォレット装置３０の外観が表示されているが、正面における各部材とインタフェースの位置は図中に表示されている模式図に限定されず、一部の部材は装置の裏面に設けられてもよい。
【００４１】
インテリジェントウォレット装置３０の装置表面には、インテリジェントウォレット装置３０の動作状態（例えば、電池の状態、接続、待機や動作中）、取引に必要な情報、或いはインテリジェントウォレット装置３０における例えば暗号通貨の種類、通貨価値などのウォレット情報を表示するための表示スクリーン３０１が設けられている。インテリジェントウォレット装置３０には指紋スキャンインタフェース３０３が設けられているが、実際に使用される生体識別手段は指紋の識別に限定されない。指紋スキャンインタフェース３０３は指紋の画像をスキャンするインタフェースであり、スキャンが完了するまで、ユーザが指でこのエリアに動ける。
【００４２】
インテリジェントウォレット装置３０には、電源スイッチ３０５や動作ランプが含まれている。電源スイッチ３０５は、インテリジェントウォレット装置３０を起動するためのものであり、スイッチインタフェースであればどのタイプでもよい。別の実施形態において、インテリジェントウォレット装置３０には、ユーザが指で直接にタッチしてからインテリジェントウォレット装置３０を起動するようにハイブリッドの回路によって例えば指紋スキャンインタフェース３０３などの他のインタフェースに統合される電源スイッチが別途設置されるようにしてもよい。
【００４３】
なお、いくつの電気接点（この図には図示しない）は、インテリジェントウォレット装置３０の表面（裏面でもよい）に設置されてもよく、コンバータ装置（この図には図示しない）に接続される時に、コンバータ装置上の対応する電気接点に電気的に接続されでもよい。コンバータ装置は、更にＵＳＢのバスインタフェースなどを通じて他のコンピュータ装置と接続されてもよい。
【００４４】
図４はインテリジェントウォレット装置３０を使用する状況を模式的に示す図である。この例には、インテリジェントウォレット装置３０が有線方式でコンピュータ装置４０に接続されることが表示されている。コンピュータ装置４０は一般のデスクトップパソコンやノートパソコンであってもよく、特定の接続インタフェースを有するタブレット型コンピュータ、携帯電話などであってもよい。インテリジェントウォレット装置３０をデータインタフェース（例えば、ＵＳＢインタフェース）を通じてコンピュータ装置４０に挿入させること以外に、インテリジェントウォレット装置３０がコンバータ装置４２を通じてコンピュータ装置４０に接続されることがこの例に表示される。データを伝送したり電力を供給したりするように、両者の間にはいくつの電気接点により相互に電気的に接続される。
【００４５】
例えば、暗号通貨ウォレットを分散型アプリケーションの例として、インテリジェントウォレット装置３０がコンバータ装置４２を通じてコンピュータ装置４０に接続された時、コンピュータ装置４０は、例えば専用ソフトウェアやウェブページなどの特定のウォレットプログラムを起動すると同時に、先に身分認証を行うように、すなわち、インテリジェントウォレット装置３０における生体識別手段を利用して身分認証を行うように、ユーザインタフェースによってユーザに提示する。認証が完了した後、インテリジェントウォレット装置３０はすぐにコンピュータ装置４０との接続を通じて例えばウォレットアドレスと秘密鍵などのウォレットの相関情報を伝送する。コンピュータ装置４０の中で作動しているソフトウェアプログラムがウォレットアドレスとこの秘密鍵を取得した後、この秘密鍵を利用してブロックチェーンから、例えばウォレットデータなどのこの公開鍵に属する取引データや他のデータを獲得できる。
【００４６】
次に、図５のインテリジェントウォレット装置を使用する状況の模式図に示すように、この例には無線通信手段によりインテリジェントウォレット装置３０がコンピュータ装置に接続されることが表示されている。この例に表示されたコンピュータ装置はモバイル装置５０である。両者の間の接続には、ブルートゥース（登録商標）通信プロトコル、或いは低消費電力ブルートゥース（ＢＬＥ）（登録商標）通信プロトコルなどの無線通信手段が採用されている。
【００４７】
インテリジェントウォレット装置３０が起動された後、インテリジェントウォレット装置３０における無線通信回路が同時に起動されることにより、モバイル装置５０における無線通信回路に接続可能な装置をスキャンさせて、ペアリングと接続の実行が可能になるようにする。実施形態において、ペアリングを実行している時に、モバイル装置５０は、例えばインテリジェントウォレット装置３０に指紋の認証をしてから接続の権限を付与することをユーザに要求できるウォレットプログラムなどの分散型アプリケーションプログラムを実行してもよい。
【００４８】
インテリジェントウォレット装置３０の分散型アプリケーションにおける一つの応用は個人化のウォレットアプリケーションであるため、生体認証の実行によりインテリジェントウォレット装置３０にインテリジェントウォレットを動作させる権限を付与することは、より高いセキュリティの提供に繋がる。モバイル装置５０にモバイル装置５０におけるウォレットプログラムを動作させ、インテリジェントウォレット装置３０からウォレットアドレス及び秘密鍵の暗号化演算により生成された検証データを取得することで、ブロックチェーンの検証を通過してから同調的にウォレットデータを取得する。
【００４９】
ちなみに、ユーザがモバイル装置５０を操作してウォレットプログラムをダウンロードしようとすると、身分認証を通過することでインテリジェントウォレット装置３０と接続し、セキュリティ認証を行ってからインテリジェントウォレット装置３０により各暗号通貨の情報を取得する必要がある。この場合、ブロックチェーンにおける参与するノードが総意演算によってウォレットデータを同調する必要があることが含まれている。その後、ウォレットプログラムを利用して暗号通貨を取引できる。
【００５０】
モバイル装置５０がウォレットプログラムを実行すると、インテリジェントウォレット装置３０を操作して取引を実行し、ウォレットデータを取得するようユーザに指示する以外に、インテリジェントウォレット装置３０における一つのまたは複数の暗号通貨の総合ウォレット情報、取引リストなどを表示する。さらに、取引やデータをブロックチェーン上に発する必要がある時に、モバイル装置５０におけるウォレットプログラムは、分散型アプリケーションの一つ（例えば、暗号通貨や他のアプリケーション）に規範されている方式にしたがってデータを生成し、データのハッシュをインテリジェントウォレット装置３０にサインさせ、ウォレットプログラムがデータとサインをブロックチェーンにおける複数のノードに発する。ノードがこのデータは有効であるか否かを検証し、総意演算を通じてこのデータをブロックチェーン上に同調する。
【００５１】
実施形態によれば、インテリジェントウォレット装置３０は複数のウォレットをサポートできる。複数のウォレットの場合、一つのウォレットはメインウォレットであり、その他のウォレットはサブウォレットである。各ウォレットは一つのまたは複数の暗号通貨をそれぞれ管理でき、ユーザが複数のウォレットのうちの一つのウォレットを選択して使用できる。ユーザはウォレットごとに異なる生体識別特徴を登録してもよい。
【００５２】
図６はインテリジェントウォレット装置を使用する状況を示す模式図である。
【００５３】
インテリジェントウォレット装置３０は電源スイッチ３０５を有する。これにより、ユーザが電源スイッチ３０５でインテリジェントウォレット装置３０を起動できる。インテリジェントウォレット装置３０が起動された後、インテリジェントウォレット装置３０における無線通信回路が同時に起動されることによって、ユーザがコンピュータ装置（この例ではモバイル装置）を操作することで通信プロトコルに対応してスキャンし、ペアリング接続を行うことができる。
【００５４】
図に示すように、ユーザが生体識別手段（例えば、指紋スキャン）によりインテリジェントウォレット装置３０のある分散型アプリケーションの機能を起動できる。例えば、インテリジェントウォレット装置３０は外部コンピュータ装置６０と接続された時に、指紋をスキャンして接続の権限を付与するようユーザに要求してもよい。分散型アプリケーションの一つの応用は、コンピュータ装置６０（この例ではモバイル装置）がインテリジェントウォレット装置３０に接続された時に、指紋の照合によりユーザの身分が認証された後、インテリジェントウォレット装置３０のセキュリティ認証モジュールは特定の暗号通貨の秘密鍵を利用して検証データを暗号化演算する必要がある。この例において、図中のインテリジェントウォレット装置３０の表示スクリーン３０１に表示されている例えばＱＲコード（登録商標）であるパターン、に転換されることが表示されている。コンピュータ装置６０は、ブロックチェーンの検証によって、例えば特定の暗号通貨の残高、取引履歴などのウォレットデータを取得できるように、コンピュータ装置６０がコンピュータ装置６０における画像スキャンツールを利用しスキャンしてＱＲコード（登録商標）に記載されているウォレットアドレスと秘密鍵を取得する。
【００５５】
応用例において、インテリジェントウォレット装置３０によって取引を実行する時に、対応するウォレットプログラムを実行するコンピュータ装置６０との接続が必要である。ユーザはウォレットプログラムのユーザインタフェースを通じて受取人のウォレットアドレスと暗号通貨の金額を含む取引データを記入する。取引が確認された後、取引データをソフトウェアでパッケージにし、ユーザが検査できるように先にインテリジェントウォレット装置３０まで伝送し表示スクリーンで表示する。検査が完了した後、インテリジェントウォレット装置３０の指紋スキャンインタフェース３０３により指紋画像を取得することでユーザの身分が認証された。その後、コンピュータ装置６０におけるウォレットプログラムによってサインされてからブロックチェーンにブロードキャストされ、ブロックチェーンのノード検証を通過した後に取引が完了する。
【００５６】
実施形態によれば、上記の通り、インテリジェントウォレット装置３０は複数のウォレットをサポートし、一つのまたは複数の暗号通貨をそれぞれ管理することにより、ユーザが柔軟に使用したり複数のウォレットのうちの一つのウォレットを隠して他の応用を提供したりすることができる。特に、各ウォレットは一つの生体識別特徴に対応し、それぞれのウォレットは別々の生体識別特徴に対応できる。例えば、メインウォレットはユーザの右手の人差し指の指紋に対応し、サブウォレットは左手の親指の指紋に対応する。これにより、ユーザが登録された指紋を利用して複数のウォレットのうちの一つのウォレットを選択して起動できる。
【００５７】
インテリジェントウォレット装置における暗号通貨ウォレットアプリケーションを使用する前に、コンピュータ装置にウォレットを作成する必要がある。実施形態の流れは、図７に示すインテリジェントウォレット装置の方法の流れである。
【００５８】
この流れにおいて、最初はステップＳ７０１において、ユーザはスイッチインタフェースを通じてインテリジェントウォレット装置を起動すると同時に、インテリジェントウォレット装置における無線通信回路も起動するようにしてもよい。また、ステップＳ７０３において、コンピュータ装置を起動するようにしてもよい。コンピュータ装置を起動することは、ウォレットプログラムを実行すると共にブルートゥース（登録商標）通信などの無線通信プロトコルを発動することによって付近のウォレット装置をスキャンすることを含む。インテリジェントウォレット装置をスキャンした後に、ペアリングを実行してもよい。
【００５９】
この時、ステップＳ７０５において、ウォレットプログラムによって身分認証を実行するようユーザに提示し、すなわち、例えば指紋の画像を読み取るようにインテリジェントウォレット装置における生体特徴識別手段による認証を実行するようにユーザに提示し、認証が完了すると接続が完了する。また、ステップＳ７０７において、コンピュータ装置で実行されるウォレットプログラムは、インテリジェントウォレット装置におけるウォレットデータを取得し、インテリジェントウォレット装置にウォレットファイルと身分認証データ（例えば、指紋識別データ）を作成できる。ステップＳ７０９、ウォレットファイルの作成が完了する。
【００６０】
その後、コンピュータ装置によりブロックチェーンを通じてウォレットアドレスに対応するウォレットデータを取得し、或いは、取引を行う度に、ウォレットファイルの中の身分認証データに基づいて認証と権限付与を完成する必要がある。
【００６１】
図８は実施形態に係るインテリジェントウォレット装置のウォレットデータ同調の流れを示す。
【００６２】
最初はステップＳ８０１において、インテリジェントウォレット装置を起動する。その後、ステップＳ８０３は上記の実施形態で述べた通りに、インテリジェントウォレット装置により身分認証を実行するようにコンピュータ装置はユーザインタフェースで提示する。身分認証が完了した後、無線通信プロトコルによりコンピュータ装置と接続できる。この時、コンピュータ装置中のウォレットプログラムを同調的に実行できる。また、ステップＳ８０５において、インテリジェントウォレット装置において、ファームウェアプロセスは復号してからウォレット装置内のデータを取得し、メモリの中には有効なウォレットデータがあるか否かを判断する。メモリの中には有効なウォレットデータがある場合（「はい」の場合）、ステップＳ８１１を実行し、表示スクリーンで直接にウォレット情報を表示する。
【００６３】
メモリの中には有効なウォレットデータがない場合（「いいえ」の場合）、コンピュータ装置と再接続して権限付与を行って最新のウォレットデータを取得する必要がある。ステップＳ８０７において、インテリジェントウォレット装置の生体特徴識別手段により身分認証を実行する。ステップＳ８０９において、身分認証を通過した後、コンピュータ装置は、例えばこの例におけるウォレットアドレス及び秘密鍵のような分散型アプリケーションのデータを受信することにより、コンピュータ装置のウォレットプログラムがウォレットアドレスに基づいてブロックチェーンを通じてウォレットデータを取得できるように権限を付与する。これにより、ウォレットプログラムとインテリジェントウォレット装置内のデータを更新する。また、ステップＳ８１１において、例えばこの例におけるウォレット情報のような更新後の分散型アプリケーションの情報を表示する。
【００６４】
インテリジェントウォレット装置を使用してコールドウォレットのような機能を実行し、インテリジェントウォレット装置を使用して暗号通貨のウォレットアドレスと秘密鍵を記憶し、取引を実行できる。図９は実施形態に係るインテリジェントウォレット装置を使用して取引を行う動作方法の流れを示す。
【００６５】
この実施形態の流れにおいて、ステップＳ９０１において、ユーザは、例えばコンピュータ装置のウェブブラウザやモバイル装置のアプリなどのブラウザを利用して、特定の暗号通貨を取引するウェブページを開いてもよい。ステップＳ９０３において、ユーザはブラウザにより暗号通貨の取引を行い、通貨種類、取引金額を設定し、またウォレットアドレスを記入する必要がある。その後、ステップＳ９０５において、今回の取引に対する取引サイトが生成した例えばＱＲコード（登録商標）などの取引コードをウェブページで表示する。
【００６６】
その後、ステップＳ９０７において、ユーザはモバイル装置のＱＲコード（登録商標）をスキャンするためのツールプログラムを利用して、取引コードを読み取る。ステップＳ９０９において、モバイル装置はインテリジェントウォレット装置に接続される。ステップＳ９１１において、例えば指紋のスキャンなどの身分認証が要求されると、ユーザは身分認証を即行する。認証が完了すると、（サインされた）取引データはモバイル装置によりブロックチェーンにブロードキャストされ、ブロックチェーンのノード検証を通過してから取引が完了する。この時、ステップＳ９１３において、コンピュータ装置が権限付与された後に、ウォレットデータを同調できる。ステップＳ９１５において、ウォレット情報もインテリジェントウォレット装置により表示され、ユーザにチェックさせる。
【００６７】
次に、図１０はもう一つの実施形態に係るインテリジェントウォレット装置を使用して取引を行う動作方法の流れを示す。この流れは、暗号通貨を受信する流れである。
【００６８】
この流れにおいて、ステップＳ１０１において、インテリジェントウォレット装置を起動する。ステップＳ１０３において、表示スクリーンにウォレットアドレス、応用によって暗号通貨の種類、金額などを含めて表示する。好ましくは、ＱＲコード（登録商標）に符号化して表示する。その後、同様に、ステップＳ１０５において、コンピュータ装置とインテリジェントウォレット装置は接続され、コンピュータ装置においてウォレットプログラムが実行され、ユーザはウォレットプログラムを操作できる。ステップＳ１０７において、コンピュータ装置におけるスキャンツールプログラムを利用してインテリジェントウォレット装置に表示されたＱＲコード（登録商標）をスキャンすることにより、スキャンしたインテリジェントウォレット装置にウォレットアドレスが自動的に記入され、ウォレットアドレスが取得される時に、ユーザにインテリジェントウォレット装置により身分認証を実行するよう要求してもよい。ステップＳ１０９において、指紋を再スキャンする。この時、ウォレットプログラムに特定の暗号通貨を通過した秘密鍵を取得させてもよい。すなわち、ウォレットプログラムにブロックチェーンの取引履歴を取得する権限を付与してもよい。
【００６９】
その後、ステップＳ１１１において、コンピュータ装置のウォレットプログラムが権限付与された後に最新のウォレットデータを取得し、通貨を受信する取引を完成する。ステップＳ１１３において、再び無線通信手段によりインテリジェントウォレット装置と接続され、取引の結果が伝送され、取引の結果も表示スクリーンに表示される。
【００７０】
上記インテリジェントウォレット装置によって取引を実行する実施形態によれば、ユーザは、「ウェブページや特定のアプリにより取引金額を記入してインテリジェントウォレット装置と接続し、認証された後に権限付与を取得し、ある通貨種類の金額を他人に出金する」ように、特定の暗号通貨のサイトを通じて通貨の取引を実行して他人に出金するような履歴をブロックチェーンにおける各ノードで記録として生成されることが分かる。逆に、もし他人から自分への入金を受けると、その他人もウォレットプログラムによって特定の通貨の金額を出金すると共にこのような履歴をブロックチェーンにおけるノードに記録した。これにより、受取人は検証を通過することであるウォレットアドレスの残高をチェックできる。残高は、ブロックチェーンにおけるノードに検証された過去の取引履歴から得るものである。
【００７１】
図１１の（ａ）〜（ｄ）は、コンピュータ装置（例えば、モバイル装置）のグラフィカルユーザインタフェースに表示される模式図により、インテリジェントウォレット装置を使用して取引を実行する状況を示す。
【００７２】
図１１（ａ）は、コンピュータ装置１２のユーザインタフェースを示す。図１１（ａ）に示すように、インテリジェントウォレット装置をスキャンすることで得たＱＲコード（登録商標）で表示されるウォレットアドレス１２１或いは応用（例えば、送金）によって例えば通貨種類と金額などの他の情報を記入したウォレットアドレス１２１をシェアボタン１２２により他人にシェアできる。ウォレットアドレス１２１は各種のメッセージ伝送方式で送信してもよい。例えば、暗号通貨をユーザに送金しようとする他人に提供することで、その他人がウォレットプログラムでスキャンしてから送金金額を決定でき、その中に記載されているウォレットアドレスにしたがってブロックチェーンに記載の取引履歴を生成できる。
【００７３】
図１１（ｂ）は、コンピュータ装置１２のスクリーンにはカードのパターンが表示されていることを表示する。インテリジェントウォレット装置図形１２３が表示され、ユーザに指紋認証を行わせるように提示する。下には、ユーザが身分認証の完了後に確認メッセージを送信できることを提供する送信ボタン１２４がある。
【００７４】
次に、図１１（ｃ）に示すように、コンピュータ装置１２がスクリーンで取引明細１２５を表示する。取引明細１２５には暗号通貨の取引の細部が表にされ、または等値の法定通貨が含まれると共に、送信ボタン１２６と受信ボタン１２７との二つのボタンが提供される。送信ボタン１２６はユーザが通貨の送信を決定することを提供する。受信ボタン１２７は通貨の受信を確認するためのものであり、他人に設定された取引金額を受信し、インテリジェントウォレット装置に接続されて身分認証が実行された後に確認するとその場で取引が完了する。その後、ブロックチェーンからウォレットアドレスに関する取引履歴を取得する権限がコンピュータ装置１２に付与され、ウォレットデータの更新が可能となる。
【００７５】
図１１（ｄ）には、コンピュータ装置１２のスクリーンに最後のウォレット情報が表示されることが示されている。特に、インテリジェントウォレット装置における複数の暗号通貨のウォレット情報が含まれている。
【００７６】
上記をまとめ、以上の実施形態に述べたインテリジェントウォレット装置及びその動作方法によれば、インテリジェントウォレット装置は暗号通貨ウォレットを含むブロックチェーンの動作が応用された各種の資源を管理するためのものである。これにより、暗号通貨を管理したり、鍵を記憶したり、分散型台帳の機能などの分散型アプリケーションを実行したりする。暗号通貨のウォレットの場合、一つのまたは複数のウォレットが設けられてもよく、各ウォレットは一つのまたは複数の暗号通貨をサポートし、インテリジェントウォレット装置には各暗号通貨に対応する秘密鍵が記憶されている。インテリジェントウォレット装置には、各分散型アプリケーションの資源の情報、例えば、ウォレットアドレスを表示するための表示スクリーンが含まれている。これにより、他人がスキャンした後でウォレットアドレスを取得し、或いはそれと同時に秘密鍵を取得できる。接続を提供するコンピュータ装置は、ブロックチェーンからウォレットアドレスに対応するウォレットデータを取得でき、更新されたウォレットデータをインテリジェントウォレット装置に送信できると共に、ウォレット情報を表示してユーザに確認させる。
【００７７】
以上に開示された内容は、本発明の好ましい実行できる実施形態に過ぎず、本発明の特許請求の範囲はこれで限定されるものではない。したがって、本発明の明細書及び図面の内容に基づいてなされた同等な技術変更は、本発明の特許請求の範囲内に含まれるものである。
【符号の説明】
【００７８】
１０  インテリジェントウォレット装置
１０１  電源スイッチ
１０２  電源指示ランプ
１０３  生体特徴読み取りインタフェース
１０４  装置動作指示ランプ
１０５  マイクロ制御ユニット兼通信モジュール
１０６  通信兼セキュリティ認証モジュール
１０７  電池モジュール
１０８  バスモジュール
１０９  データインタフェース
１１０  画像処理モジュール
１１１  表示ユニット
２０  インテリジェントウォレット装置
２０１  マイクロ制御ユニット
２０２  セキュリティ認証モジュール
２０３  バスモジュール
２０４  データインタフェース
２０５  電源管理モジュール
２０６  電池モジュール
２０７  電源スイッチインタフェース
２０８  第一の無線通信モジュール
２０９  生体識別モジュール
２１０  生体特徴読み取りインタフェース
２１１  第二の無線通信モジュール
２１２  画像処理モジュール
２１３  表示ユニット
３０  インテリジェントウォレット装置
３０１  表示スクリーン
３０３  指紋スキャンインタフェース
３０５  電源スイッチ
４０  コンピュータ装置
４２  コンバータ装置
５０  モバイル装置
６０  コンピュータ装置
１２  コンピュータ装置
１２１  ウォレットアドレス
１２２  シェアボタン
１２３  インテリジェントウォレット装置図形
１２４  送信ボタン
１２５  取引明細
１２６  送信ボタン
１２７  受信ボタン
【図１】
2020184290.tif 000003
【図２】
2020184290.tif 000004
【図３】
2020184290.tif 000005
【図４】
2020184290.tif 000006
【図５】
2020184290.tif 000007
【図６】
2020184290.tif 000008
【図７】
2020184290.tif 000009
【図８】
2020184290.tif 000010
【図９】
2020184290.tif 000011
【図１０】
2020184290.tif 000012
【図１１】
2020184290.tif 000013